(57)【要約】【課題】複数の衣服の画像を見比べて、購入する衣服を適切に決定することができると共に、衣服を容易に購入することができる衣服の販売方法を提供する。【解決手段】実施形態の衣服の販売方法は、衣服の店舗ＳＰにおいて衣服を撮影することによって複数の衣服についての画像データが生成されるステップと、制御部５４が、記憶部５２に、複数の画像データを各衣服の属性情報とそれぞれ対応付けて属性情報と共に保管させるステップと、制御部５４が、記憶部５２に保管された複数の画像データにそれぞれ基づく複数の画像を表示部５３に表示させ、所望の衣服の画像を選択させるステップと、制御部５４が、選択された画像に基づく衣服の情報を、通信ネットワークＩＮを介して衣服の販売業者の情報処理装置ＩＰに発注情報として送るステップと、を含んでいる。【選択図】図１
2018055678.tif 000002
【特許請求の範囲】
【請求項１】
通信ネットワークを用いて構築されていて記憶部と表示部と制御部とを少なくとも備える販売システムにおいて実行される衣服の販売方法であって、
衣服の店舗において衣服を撮影することによって複数の衣服についての画像データが生成されるステップと、
前記制御部が、前記記憶部に、複数の前記画像データを各衣服の属性情報とそれぞれ対応付けて前記属性情報と共に保管させるステップと、
前記制御部が、前記記憶部に保管された複数の前記画像データにそれぞれ基づく複数の画像を前記購入者が閲覧可能なように前記表示部に表示させ、表示された複数の前記画像から前記購入者の所望の衣服の画像を選択させるステップと、
前記制御部が、前記所望の衣服を選択させるステップにおいて選択された画像に基づく衣服の情報を、前記通信ネットワークを介して衣服の販売業者の情報処理装置に発注情報として送るステップと、
を含む衣服の販売方法。
【請求項２】
前記発注情報が、前記購入者が前記所望の衣服を直ぐに購入するのか、前記所望の衣服について所定期間の間の取り置きを要請しているのかの識別情報を含んでいる、請求項１記載の衣服の販売方法。
【請求項３】
衣服の肩部分を支持するように延在する本体部と、前記本体部の長手方向の中央部に設けられるフック部と、前記本体部に設けられていて、撮影用のレンズが設けられた側と反対側に撮影画像のモニタ画面を備えた撮像機器を保持する保持機構とを有し、
前記保持機構は、前記本体部の前後方向の一方の側に前記レンズが露出し、かつ、前記本体部の前記一方の側と反対側に前記モニタ画面が露出するように前記撮像機器を保持するように構成されている
衣類用ハンガー。
【請求項４】
前記保持機構は、前記本体部の前記反対側に前記撮像機器を収容し得るように形成された凹部である請求項３記載の衣類用ハンガー。
【請求項５】
前記保持機構は、前記撮像機器が付着し得るように前記本体部に設けられた貼付具である請求項３記載の衣類用ハンガー。
【請求項６】
撮影用のレンズが設けられた側と反対側に撮影画像のモニタ画面を備えた撮像機器を衣類用ハンガー上に保持する撮像機器ホルダーであって、
前記撮像機器を保持する機器保持部と、
前記衣類用ハンガーと係合する固定部と、を有し、
前記固定部によって前記衣類用ハンガーに取付けられたときに、前記衣類用ハンガーの前後方向の一方の側に前記レンズが露出するように、かつ、前記一方の側と反対側に前記モニタ画面が露出するように構成されている
撮像機器ホルダー。
【請求項７】
前記固定部は、前記衣類用ハンガーのフックが通されるフック挿通部を有している請求項６記載の撮像機器ホルダー。
【請求項８】
さらに、前記機器保持部との間に前記衣類用ハンガーの一部を挟み込むように形成されていて前記衣類用ハンガーの前記一方の側と反対側への動きを制限するストッパを含んでいる請求項６または７記載の撮像機器ホルダー。
【請求項９】
衣服の販売方法であって、
衣服の店舗において、撮像機器が背面に保持された衣類用ハンガーに衣服を装着して購入者の身体に重ね、前方に配置される鏡に映る像を撮影し、
さらに、前記ハンガーに装着する衣服を取り換えて、または、撮像機器が背面に保持された別の衣類用ハンガーに装着された別の衣服を用いて、全体で複数種の衣服について購入者の身体に重ねて鏡に映る像を撮影し、
前記複数種の衣服の撮影画像を前記撮像機器または前記撮像機器が接続された通信ネットワーク上の記憶装置に保管し、
複数の前記撮影画像のうち、購入者が選択する１または２以上の衣服を前記購入者に納入する衣服の販売方法。
【発明の詳細な説明】
【技術分野】
【０００１】
本発明は、衣服の販売方法、衣類用ハンガー、および撮像機器ホルダーに関し、特に、複数の衣服の画像の保管および画像の表示を含む、複数の衣服の画像を用いた衣服の販売方法、本体部に撮像機器を保持する機構を有する衣類用ハンガー、ならびに、衣類用ハンガー用の撮像機器ホルダーに関する。
【背景技術】
【０００２】
従来から、商品の購入者は、多くの場合、実際に店舗を訪問し、商品を現に確認したうえで購入している。また、近年、情報技術の発展に後押しされ、このような店舗訪問を不要とするインターネット販売を手掛ける販売業者が増加し、多くの分野の商品が実際の店舗を経由することなく販売されている。たとえば特許文献１には、インターネットなどのネットワークを介して顧客側端末と販売者側端末とが接続された通信網を含む衣類の販売システムが開示されている。
【先行技術文献】
【特許文献】
【０００３】
【特許文献１】特開２００２−１０９４０７号公報
【発明の概要】
【発明が解決しようとする課題】
【０００４】
しかし、インターネット販売では、販売業者のサイトにアップロードされたカタログを閲覧できるだけなので、購入者は、衣服や装身具などを購入する場合でも衣服などを身に纏った状態を頭の中で想像することしかできない。そのため、その衣服などが自分に似合うのかどうかを適切に判断するのが難しいという問題がある。特に衣服では、カタログに記載されているサイズからイメージする大きさと実際の衣服の大きさとの違いや、カタログだけでは肌触りなどが全く分からないという問題もある。
【０００５】
一方、実際に店舗に行く場合、商品を手に取り、自身の身体に重ねて鏡で眺めてみることはできるが、この場合でも、複数の異なる衣服に合せた自身の姿を並べて見比べることは困難である。写真に撮れば比較することもできるが、その写真に写っている衣服のサイズなどを個々の写真と対応付けて別途記録するのも煩雑なものである。また、衣服を身体に宛がいながら、自らカメラなどを手に持って幾つもの衣服について撮影するのは容易なことではない。また、購入者は、どの衣服を買うかをその場で拙速に決めるのではなく、後で、たとえば家族や友人の意見も聴きながら、じっくりと決めたいと思うこともある。しかし、後で見比べることができるように、色々な衣服を纏った自身の姿を残すことができないと、そのように後で購入を検討することができず、結局、購入を決断できないということにもなり得る。さらに、後で見比べることができたとしても、購入のために再度店舗に足を運ぶのは煩わしいものであり、特に、遠隔地の店舗の場合などは、店舗への再訪が困難なために購入を断念せざるを得ないこともある。これは販売業者にとっても、見込み顧客や販売機会を逃すこととなり、好ましくない。
【０００６】
本発明は、このような問題点に鑑みてなされたもので、購入者が、複数の衣服の画像を見比べて、購入する衣服を適切に決定することができ、容易に衣服を購入することができる衣服の販売方法を提供することを目的とする。また、本発明は、衣服の写真を、その衣服を持つ人自らが自身に重ねてその全身と共に容易に撮影することができる衣類用ハンガー、および、そのような撮影を可能にする、撮像機器を衣類用ハンガー上に保持する撮像機器ホルダーを提供することを目的とする。
【課題を解決するための手段】
【０００７】
本発明の第１実施形態の衣服の販売方法は、通信ネットワークを用いて構築されていて記憶部と表示部と制御部とを少なくとも備える販売システムにおいて実行される衣服の販売方法であって、衣服の店舗において衣服を撮影することによって複数の衣服についての画像データが生成されるステップと、前記制御部が、前記記憶部に、複数の前記画像データを各衣服の属性情報とそれぞれ対応付けて前記属性情報と共に保管させるステップと、前記制御部が、前記記憶部に保管された複数の前記画像データにそれぞれ基づく複数の画像を前記購入者が閲覧可能なように前記表示部に表示させ、表示された複数の前記画像から前記購入者の所望の衣服の画像を選択させるステップと、前記制御部が、前記所望の衣服を選択させるステップにおいて選択された画像に基づく衣服の情報を、前記通信ネットワークを介して衣服の販売業者の情報処理装置に発注情報として送るステップと、を含んでいる。
【０００８】
前記発注情報が、前記購入者が前記所望の衣服を直ぐに購入するのか、前記所望の衣服について所定期間の間の取り置きを要請しているのかの識別情報を含んでいてもよい。
【０００９】
本発明の衣類用ハンガーは、衣服の肩部分を支持するように延在する本体部と、前記本体部の長手方向の中央部に設けられるフック部と、前記本体部に設けられていて、撮影用のレンズが設けられた側と反対側に撮影画像のモニタ画面を備えた撮像機器を保持する保持機構とを有し、前記保持機構は、前記本体部の前後方向の一方の側に前記レンズが露出し、かつ、前記本体部の前記一方の側と反対側に前記モニタ画面が露出するように前記撮像機器を保持するように構成されている。
【００１０】
ここで「本体部の前後方向」および後述の「衣類用ハンガーの前後方向」は、衣服が衣類用ハンガーに掛けられたときに、衣服の正面側に向けられる側と、衣服の背中側に向けられる側とが結ばれる方向であり、衣類用ハンガーに掛けられる衣服の背丈方向および肩幅方向と直交する方向である。また「一方の側に前記レンズが露出し」は、一方の側から本体部をみたときにレンズを目視できるようにレンズが位置付けられていることを意味している。また「一方の側と反対側に前記モニタ画面が露出する」は、一方の側と反対側から本体部をみたときにモニタ画面を目視できるようにモニタ画面が位置付けられていることを意味している。従って、「一方の側に前記レンズが露出し」および「一方の側と反対側に前記モニタ画面が露出する」は、レンズが必ずしも本体部の一方の側に位置していることを意味しているのではなく、同様に、モニタ画面が必ずしも本体部の一方の側と反対側に位置していることを意味しているのではない。
【００１１】
前記保持機構は、前記本体部の前記反対側に前記撮像機器を収容し得るように形成された凹部であることが好ましい。
【００１２】
前記保持機構は、前記撮像機器が付着し得るように前記本体部に設けられた貼付具であってもよい。
【００１３】
本発明の撮像機器ホルダーは、撮影用のレンズが設けられた側と反対側に撮影画像のモニタ画面を備えた撮像機器を衣類用ハンガー上に保持する撮像機器ホルダーであって、前記撮像機器を保持する機器保持部と、前記衣類用ハンガーと係合する固定部と、を有し、前記固定部によって前記衣類用ハンガーに取付けられたときに、前記衣類用ハンガーの前後方向の一方の側に前記レンズが露出するように、かつ、前記一方の側と反対側に前記モニタ画面が露出するように構成されている。
【００１４】
前記固定部は、前記衣類用ハンガーのフックが通されるフック挿通部を有していることが好ましい。
【００１５】
さらに、前記機器保持部との間に前記衣類用ハンガーの一部を挟み込むように形成されていて前記衣類用ハンガーの前記一方の側と反対側への動きを制限するストッパを含んでいることが好ましい。
【００１６】
本発明の第２実施形態の衣服の販売方法は、衣服の店舗において、撮像機器が背面に保持された衣類用ハンガーに衣服を装着して購入者の身体に重ね、前方に配置される鏡に映る像を撮影し、さらに、前記ハンガーに装着する衣服を取り換えて、または、撮像機器が背面に保持された別の衣類用ハンガーに装着された別の衣服を用いて、全体で複数種の衣服について購入者の身体に重ねて鏡に映る像を撮影し、前記複数種の衣服の撮影画像を前記撮像機器または前記撮像機器が接続された通信ネットワーク上の記憶装置に保管し、複数の前記撮影画像のうち、購入者が選択する１または２以上の衣服を前記購入者に納入する。
【発明の効果】
【００１７】
本発明の衣服の販売方法によれば、たとえば、店舗を出た後であっても、購入候補の衣服の画像を見比べることができ、その画像の選択により販売業者に発注することができるので、最も自分に似合う衣服を容易に注文することができる。また、店舗側でも、販売機会や販売見込み客を逃すことなく効率よく実際の販売に結び付けることができる。また、本発明の衣類用ハンガーによれば、衣服を持つ人が、その前方に配置される鏡に映る自身の身体に重ねて、その衣服の写真を自身の全身と共に容易に撮影することができる。たとえば、衣料品店で、そのようにして複数の衣服を自身と共に撮影することにより、購入候補の衣服が全体的に自分自身に似合うかどうかを複数の衣服で見比べながらじっくり検討したうえで、購入する衣服を決定することができる。
【図面の簡単な説明】
【００１８】
【図１】本発明の第１実施形態の衣服の販売方法を実現する販売システムの一例を示す図である。
【図２】本発明の一実施形態の衣類用ハンガーを示す図である。
【図３】図２の衣類用ハンガーに撮像機能を有するスマートフォンが装備された状態を示す図である。
【図４】図３のスマートフォンが装備された衣類用ハンガーの上面および断面を示す図である。
【図５】本発明の一実施形態の衣類用ハンガーの使用方法の一例を示す図である。
【図６】本発明の一実施形態の撮像機器ホルダーを撮像機器の保持機構を有さない衣類用ハンガーと共に示す図である。
【図７】図６の撮像機器ホルダーを、衣類用ハンガーに取付けられた状態で示す断面図である。
【図８】本発明の第２実施形態の衣服の販売方法を実現する販売システムの一例を示す図である。
【図９】本発明の第２実施形態の衣服の販売方法の手順の一例を示すフローチャートである。
【図１０】本発明の各実施形態の衣服の販売方法において、撮像機器の一例であるスマートフォンに表示される画像選択画面の一例を示す図である。
【発明を実施するための形態】
【００１９】
つぎに、本発明の第１実施形態の衣服の販売方法について、図面を参照して説明する。図１には、第１実施形態の衣服の販売方法を実現する販売システムの一例として衣服の販売システム５０が示されている。衣服の販売システム５０は、通信ネットワーク（図１の例ではインターネットＩＮ）を用いて構築されていて記憶部５２と表示部５３と制御部５４とを少なくとも備えている。記憶部５２は撮影された衣服の画像データを保管し、表示部５３は、記憶部５２に保管された画像データに基づいて画像を表示する。制御部５４は、記憶部５２および表示部５３の動作を制御すると共に、表示部５３に表示される画像のうち、購入者（図示せず）に選択された画像に映る衣服の情報を含む発注情報を生成し、その発注情報を送信するように構成されている。
【００２０】
すなわち、本実施形態の衣服の販売方法は、衣服の店舗ＳＰにおいて、衣服を、たとえば購入者（顧客）の身体に重ねて撮影することによって複数の衣服についての画像データが生成されるステップと、制御部５４が、複数の画像データを各衣服の属性情報とそれぞれ対応付けて属性情報と共に記憶部５２に保管させるステップと、制御部５４が、記憶部５２に保管された複数の画像データにそれぞれ基づく複数の画像を購入者が閲覧可能なように表示部５３に表示させ、表示された複数の画像から購入者の所望の衣服の画像を選択させるステップと、制御部５４が、所望の衣服の画像を選択させるステップにおいて選択された画像に基づく衣服の情報を、通信ネットワーク（図１の例ではインターネットＩＮ）を介して衣服の販売業者の情報処理装置ＩＰに発注情報として送るステップと、を含んでいる。
【００２１】
図１の例では、衣服の販売システム５０は、衣服の撮影に用いられ、衣服の画像データを生成する撮像機器Ｍを含んでいる。なお、図１において、撮像機器Ｍは店舗ＳＰの外部に記載されているが、撮像機器Ｍは衣服の撮影時には店舗ＳＰにおいて用いられる。図１は、撮像機器Ｍが撮像機能を有するスマートフォンである例を示している。撮像機器Ｍは、スマートフォン以外の携帯電話、デジタルカメラ、小型のタブレット端末など、撮像機能を有する任意の機器であってもよい。また、撮像機器Ｍは、好ましくは、スマートフォンなどのように、通信ネットワークとの間で交信可能な通信機能を備えている。しかし、撮像機器Ｍは、必ずしも通信機能を備えていなくてもよく、通信機能を有する外部の機器（図示せず）との間で画像データの受け渡しが可能なものであればよい。なお、通信ネットワークは、図１に示されるインターネットＩＮに限定されず、特定のサービスプロバイダが提供するクロ−ズドネットワークや、衣服の販売業者が自ら構築したプライベートネットワークなどであってもよい。
【００２２】
記憶部５２は、たとえば撮像機器Ｍが有するメモリなどの記憶装置である。衣服の画像データは、撮像機器Ｍを用いて、たとえば衣服の購入者と共に撮影された複数の衣服の画像のデータである。記憶部５２が複数の画像データと共に保管する衣服の属性情報は、複数の画像データの基となる画像それぞれに写された各衣服に関する情報であり、たとえば、当該衣服の品番、メーカ、サイズ、色彩、価格などの当該衣服を選択および発注するにあたって必要な情報である。当該衣服を撮影した店舗の識別コードや撮影した顧客自身に関する情報などが属性情報に含まれてもよい。各衣服の属性情報は、当該衣服に対応する画像データと対応付けて記憶部５２に保管される。表示部５３は、制御部５４の指示に応じて、記憶部５２から出力される画像データに基づく画像を購入者が閲覧可能なように表示する。表示部５３は、たとえば撮像機器Ｍが有するディスプレイ装置である。
【００２３】
制御部５４は、顧客に選択された画像に基づく衣服の情報を、顧客による発注情報として店舗ＳＰを運営する販売業者の情報処理装置ＩＰに送るように構成されている。撮像機器Ｍ（撮像機器Ｍが通信機能を有していない場合は、撮像機器Ｍとの間で画像データの受け渡しが可能な通信機能を有する外部の機器）と、販売業者の情報処理装置ＩＰとは、インターネットＩＮなどのネットワークによって接続されている。発注情報には、顧客が直ぐに購入するのか、または、所定期間の取りおきを要請しているのかを示す識別情報を含んでいてもよい。また、この識別情報には、顧客が指定の場所への購入衣服の配送を望むのか、または、後日、顧客が店舗ＳＰに訪問のうえで購入衣服の引き取りを望むのかを識別する情報が含まれていてもよい。制御部５４は、たとえば、顧客に選択された画像の画像データに対応づけられた属性情報を記憶部５２に出力させ、出力された属性情報を発注情報として販売業者に送るように構成されていてもよい。制御部５４は、たとえば、マイコンなどからなる撮像機器Ｍ内のプロセッサにより構成される。
【００２４】
図１の例では、インターネットＩＮには、外部の記憶装置５５、外部のディスプレイ装置５６、および、サーバー５７も接続されている。従って、記憶部５２が外部の記憶装置５５で構成されてもよく、表示部５３が外部のディスプレイ装置５６で構成されてもよく、制御部５４の一部がサーバー５７内のプロセッサで構成されてもよい。また、撮像機器Ｍが通信機能を有していない場合は、記憶部５２、表示部５３および制御部５４は、それぞれ、撮像機器Ｍとの間で画像データの受け渡しが可能な通信機能を有する外部の機器（図示せず）が備える、メモリなどの記憶装置、ディスプレイ装置、およびマイコンなどからなるプロセッサなどであってもよい。
【００２５】
第１実施形態の衣服の販売方法では、まず、衣服の店舗ＳＰにおいて、商品である衣服の写真が撮影される。すなわち、撮像機器Ｍを用いて、好ましくは、購入者の身体に重ねられた衣服が店員や購入者自身によって撮影される。さらに、衣服を取り換えて、全体で複数種の衣服について撮影が行われ、複数種の衣服の画像に基づく複数の画像データが生成される。また、撮影対象の衣服の属性情報が取得される。属性情報は、たとえば、衣服のタグなどにバーコードやＱＲコード（登録商標）などで記録されており、撮像機器Ｍが有するコードリーダなどによって読み取られ得る。また、店舗に設置されたビーコンが発する無線信号を受信することにより、店舗に関する情報が属性情報に含められてもよい。属性情報は、対応する衣服の画像データと対応付くように所定の適切な手順で取得される。たとえば、ある衣服の写真の撮影に続けて、その衣服の属性情報が取得される。
【００２６】
制御部５４は、撮影された複数種の衣服の撮影画像に基づく画像データを、撮像機器Ｍ内の記憶装置、または、撮像機器Ｍが接続された通信ネットワーク上の外部の記憶装置５５によって構成される、記憶部５２に保管させる。制御部５４は、複数の画像データの画像それぞれに写る衣服の属性情報も、複数の画像データと対応付けて記憶部５２に保存させる。なお、前述のように販売システム５の制御部５４は、撮像機器Ｍ内のマイコなどによるプロセッサであってもよく、撮像機器Ｍ内のプロセッサとサーバー５７内のプロセッサとで構成されていてもよい。従って、制御部５４で処理されるタスクは、撮像機器Ｍ内のプロセッサとサーバー５７内のプロセッサとで分散して処理されてもよい。
【００２７】
つぎに、制御部５４が、記憶部５２に画像データを出力させて、購入者が閲覧できるように、複数の衣服の画像を表示部５３に表示させる。たとえば、後述の図１０に示されるように、複数の衣服の画像が表示部５３に表示される。購入者は、記憶部５２に保管されている画像データに基づく複数の画像を見比べて、購入しようと思う衣服の画像を選択することができる。表示部５３は、たとえば購入者の画面へのタッチにより特定の画像が選択されると、タッチされた位置の情報を制御部５４に送る。制御部５４は、この位置の情報から、選択された画像に対応する画像データを特定する。制御部５４は、特定の画像が選択された後、選択された画像に対応する衣服を直ぐ購入するのか、一定の期間取り置くのかを購入者に選択させる画面を表示部５３に表示させてもよい。制御部５４は、さらに、購入する衣服の配送を望むのか、または、購入者が後日来店のうえで購入衣服を引き取るのか、について購入者に選択させる画面を表示部５３に表示させてもよい。
【００２８】
制御部５４は、選択された画像データ、またはその画像データを特定し得る識別情報を含む衣服の情報を、発注情報として販売業者の情報処理装置ＩＰに送信する。制御部５４は、好ましくは、選択された画像に対応する画像データの属性情報を記憶部５２に出力させ、属性情報の一部または全部を含む発注情報を情報処理装置ＩＰに送信する。制御部５４は、購入者が、選択された画像に対応する衣服を直ぐに購入するのか、または、一定期間の取り置きを望むのか、ならびに、購入者が、購入衣服の配送および店頭での受け渡しのいずれを望むのかについての識別情報をさらに含む発注情報を送信してもよい。
【００２９】
購入者からの発注情報を受け取ると、衣服の販売業者は、発注された衣服を購入者に納入する。その際、購入衣服の配送を望む趣旨の情報が発注情報に含まれている場合、衣服の販売業者は顧客の指定の場所などに、該当する衣服を発送する。また、顧客が店頭での衣服の引き渡しを望む趣旨の情報が発注情報に含まれている場合、衣服の販売業者は、購入者が来店するまで該当する衣服を取り置き、購入者の来店時に衣服を購入者に引き渡す。このように、販売業者は、発注情報に含まれ得る情報に応じて、通信販売もしくはインターネット販売のような販売方式、および、通常の店頭販売のような販売方式のいずれをも採ることができる。なお、発注情報において購入者が選択した衣服について、一定期間の取り置きを要請している場合は、販売業者は該当する衣服を少なくとも指定された期間の間取り置く。
【００３０】
発注情報には、好ましくは、選択された画像データに対応する属性情報が含まれているため、発注情報に含まれ得る選択された画像の見た目から、販売業者が受注商品を特定する場合と異なり、サイズや微妙な色彩の違いなどによる受注ミスが防がれる。属性情報は、画像データと対応付けて販売業者が保有する記憶装置などに保管されてもよい。その場合は、選択された画像に対応する画像データを特定し得る識別情報が衣服を特定する情報として発注情報に含められてもよい。販売業者側で、この識別情報に対応する画像データおよび属性情報を記憶装置から抽出し、納入すべき衣服を適切に特定することができる。
【００３１】
本実施形態の衣服の販売方法によれば、店舗内で購入を決断できない購入者に店舗を出た後に購入を決断させることが容易になる。衣服の販売機会や販売見込み客を逃すことなく販売に結び付けることができると考えられる。
【００３２】
つぎに、図面を参照し、本発明の一実施形態の衣類用ハンガーについて詳細に説明する。図２〜４には、一実施形態の衣類用ハンガーの一例である衣類用ハンガー１が示されている。図２に示されるように、衣類用ハンガー１は、衣服（図示せず）の肩部分を支持するように延在する本体部２と、本体部２の長手方向の中央部に設けられるフック部３と、本体部２に設けられていて、撮像機器Ｍを保持する保持機構４とを有している。図３には、撮像機器Ｍが保持機構４を用いて装備された状態で衣類用ハンガー１が示されている。具体的には、本体部２の前後方向（図３における作図面と直交する方向）の一方の側２Ｆおよび一方の側２Ｆと反対側の他方の側２Ｂそれぞれからみた衣類用ハンガー１が、図３（ａ）および図３（ｂ）にそれぞれ示されている。本実施形態の衣類用ハンガー１に装備される撮像機器Ｍは、撮影用のレンズＭ１と、撮影画像のモニタ画面Ｍ２とを備えている。実施形態の衣類用ハンガー１の保持機構４は、本体部２の前後方向の一方の側２Ｆに、本体部２およびフック部３に覆われずにレンズＭ１が露出し、かつ、本体部４の他方の側２Ｂにモニタ画面Ｍ２が露出するように撮像機器Ｍを保持するように構成されている。すなわち、本体部２の他方の側２Ｂに撮像機器Ｍの使用者がいる場合、使用者は、レンズＭ１が捉える一方の側２Ｆに配置された鏡に映る自身の鏡像をモニタ画面Ｍ２で見ることができ、撮像機器Ｍを操作してその鏡像を撮影することができる。
【００３３】
撮像機器Ｍのモニタ画面Ｍ２は、図３（ａ）および図３（ｂ）に示されるように、撮像機器ＭのレンズＭ１が設けられた一面ＭＦ側と反対の他面ＭＢ側に備えられている。撮像機器Ｍは、撮像機能を有する機器であれば特に限定されない。本明細書において「撮像機器」は、撮像機能が主要機能である機器だけではなく、たとえば通信機能などの主要機能の他に撮像機能を備えている機器も含んでいる。図２〜４には、撮像機器Ｍが、全体として矩形の平面形状を有するカメラ機能付きのスマートフォンである場合の例が示されている。撮像機器Ｍとしては、スマートフォンの他に、スマートフォン以外の携帯電話、デジタルカメラ、小型のタブレット端末などが例示される。
【００３４】
本体部２は、図２の例では、全体として二等辺三角形の正面（背面）形状を有し、２つの等辺に相当する部分で衣服の肩部分を支持する構成となっている。本体部２は、たとえば、プラスチックなどの合成樹脂や、木材、または金属などの任意の材料で形成され得る。フック部３は、細い棒状材や硬質のワイヤ材などなどからなり、一端側を鉤状に折り曲げられ、他端側を本体部２に取り付けられている。フック部３は、樹脂材料により本体部２と一体的に形成されていてもよい。そして、本実施形態では、図２に示されるように、本体部２の長手方向（本体部２の肩幅方向）の中央部付近の他方の側２Ｂに保持機構４が設けられている。
【００３５】
図４（ａ）および図４（ｂ）には、図３に示される衣類用ハンガー１の上面図および断面図がそれぞれ示されている。図４（ｂ）は、図３（ｂ）に示されるIVｂ−IVｂ線での断面図である。図４（ａ）に示されるように、本実施形態の衣類用ハンガー１の保持機構４は、本体部２の他方の側２Ｂに撮像機器Ｍを収容し得るように形成された凹部４１である。凹部４１に撮像機器Ｍが収容されている。図４（ｂ）に示される例では、凹部４１は撮像機器Ｍの一部を収容している。凹部４１は、本体部２の他方の側２Ｂの隆起部２２内に設けられている。隆起部２２の表面の一部が、他の部分よりも一方の側２Ｆ寄りに凹んでおり、それにより、保持機構４として機能する凹部４１が形成されている。凹部４１を三方から囲む内壁によって、撮像機器Ｍが、吊り下げられている状態の衣類用ハンガー１から落下することなく支持され、衣類用ハンガー１の肩幅方向（図４（ａ）に符号Ｘで示される方向、以下Ｘ方向とも称する）への撮像機器Ｍの動きが制限される。その結果、撮像機器Ｍが所定の位置に保持される。前述のように、保持機構４は、撮像機器ＭのレンズＭ１が本体部２の一方の側２Ｆに露出し、他方の側２Ｂに、撮像機器Ｍのモニタ画面Ｍ２が露出するように構成される。すなわち、保持機構４によって、そのようにレンズＭ１およびモニタ画面Ｍ２が露出するような所定の位置に撮像機器Ｍが保持される。
【００３６】
図２〜４に示される例では、凹部４１の内壁に溝４３（図４参照）が形成されている。溝４３内に撮像機器Ｍの３辺の縁部が挿入されることにより、本体部２の前後方向（図４（ｂ）に符号Ｚで示される方向、以下Ｚ方向とも称する）、特に、本体部２から離れる方向への撮像機器Ｍの動きが制限される。撮像機器Ｍが、より安定して、確実に本体部２上に保持される。なお、溝４３は、好ましくは、撮像機器Ｍの縁部が挿入された状態でモニタ画面Ｍ２の周縁部分が溝４３内に全く入り込まないか、あまり多く入り込まない程度の深さに形成されている。撮像装置Ｍを衣類用ハンガーに保持した状態で撮影する際に、モニタ画面Ｍ２のほぼ全域を確認しながら撮影することができる。
【００３７】
撮像機器Ｍがスマートフォンである例を示す図２〜４では、撮像機器ＭのレンズＭ１は、矩形の平面形状を有する一面ＭＦの長辺方向の一端部付近に設けられている。また、レンズＭ１は、一面ＭＦの短辺方向において中心からずれた位置に設けられている。保持機構４（本実施形態では主に凹部４１）は、たとえば、図３（ａ）に示されるように、レンズＭ１が本体部２の上端よりも上側に位置するような位置に設けられる。また、保持機構４は、本体部２を一方の側２Ｆから見たときに、フック部２と重ならないようにレンズＭ１を位置付けられるような位置に形成される。好ましくは、凹部４１は、本体部２のＸ方向の中央に設けられる。
【００３８】
図５には、一実施形態の衣類用ハンガー１の使用方法の一例が示されている。たとえば、衣料品店などにおいて、購入者Ｐが、衣服Ｄなどの陳列されている商品（衣服）の中から購入する衣服を選んでいる。衣服Ｄは、本実施形態の衣類用ハンガー１に掛けられている。購入者Ｐは、スマートフォンなどの撮像機器Ｍを、衣類用ハンガー１の保持機構４により衣類用ハンガー１に装備し、姿見などの全身を映すことが可能な大型の鏡Ｒの前で、衣類用ハンガー１に掛けられたままの衣服Ｄを自らの身体に宛がう。このとき、購入者Ｐは、撮像機器Ｍの撮影用のレンズを鏡Ｒ側に向けて、すなわち、本体部の一方の側２Ｆが鏡Ｒ側となるように、衣類用ハンガー１を身体の前で保持する。従って、本体部の他方の側２Ｂは、購入者Ｐ側となり、撮像機器Ｍのモニタ画面Ｍ２は購入者Ｐに面することになる。購入者Ｐは、モニタ画面Ｍ２を見ながら、全身が撮影範囲内に収まるような位置に立って、鏡Ｒに映る自身の身体に重ねられた衣服Ｄの像を撮影する。
【００３９】
本実施形態の衣類用ハンガー１は、撮像機器ＭのレンズＭ１とモニタ画面Ｍ２とを適切に位置付けるように構成された、撮像機器Ｍを保持する保持機構４を有している。そのため、たとえば、一方の手で衣類用ハンガー１を身体の前で持ちながら、他方の手でシャッターボタンを押すなどして、容易に、鏡Ｒに映る、自身の身体に重ねられた衣服を自身の身体全体と共に撮影することができる。たとえば、衣料品店などにおいて、試してみたいと思う好みの衣服が多数ある場合でも、店員などの他人の手を煩わせることなく、衣類用ハンガー１に掛けられたまま自身に重ねた好みの衣服の写真を次々と撮影することができる。撮影した複数の画像データを、たとえば撮像機器Ｍ内の記憶装置（図示せず）に記録することにより、後でそれらの画像を表示させて、どの衣服を購入するか、じっくり検討することができる。また、友人などに複数の画像を見せて、意見を聴くこともできる。従って、購入する衣服を適切に決めることができる。また、たとえば、本実施形態の衣類用ハンガー１を衣服の陳列用に利用することにより、販売業者が、販売機会や見込み顧客を逃さずに販売に結びつけることができる。
【００４０】
図２〜４の例では、図４（ａ）に示されるように、本体部２は、衣服の背部の支持に適するように、他方の側２Ｂが凸となる湾曲した形状に形成されている。図２〜４の衣類用ハンガー１には、本体部２の他方の側２Ｂが衣服の背面側となるように、また、一方の側２Ａが衣服の正面側となるように衣服が掛けられる。本体部２が、このように形状面や機能面などから背面側と正面側とを有しているときは、正面側が一方の側２Ｆとなり、背面側が他方の側２Ｂとなるように保持機構４が本体部２に設けられる。しかし、本体部２は、前後方向のいずれかの側を背面側または正面側と認識し得る形状などを有していなくてもよい。たとえば、本体部２は、前後方向において起伏のない平板状の形状であってもよい。そのような場合は、保持機構４を設けることにより、撮像機器４の装備時にレンズＭ１が露出する側が一方の側２Ｆとなり、モニタ画面Ｍ２が露出する側が他方の側２Ｂとなる。本体部２の形状や構造は、図２〜４に示されるものに限定されない。たとえば、ワイヤを折り曲げることにより本体部２の骨格部分が形成されていてもよく、そのような骨格部分に、衣服の肩部分を支持するのに適した形に成形された樹脂成型物が組み合わされたような構造のものでもよい。
【００４１】
また、溝４３は必ずしも設けられなくてもよい。本体部２を他方の側２Ｂに傾けなければ撮像機器Ｍは凹部４１内に保持され得るし、撮像機器Ｍが適度な大きさの環状の金具や紐を有している場合、そのような金具や紐にフック部３を通しておくことで、撮像機器Ｍが本体部２から離れることを一定範囲内に抑えることができる。
【００４２】
凹部４１の大きさは、好ましくは、撮像機器Ｍの大きさに応じて選択される。撮像機器Ｍがスマートフォンである場合、多く流通しているスマートフォンそれぞれのサイズごとに、そのサイズに応じた大きさの凹部４１を有する衣類用ハンガー１が形成されてもよい。しかし、異なるサイズの複数種の撮像機器Ｍに対応可能なように、凹部４１が設けられてもよい。たとえば、図示されていないが、凹部４１のＸ方向の幅が、フック２から遠ざかるほど狭くなるように凹部４１が形成されてもよい。衣類用ハンガー１に掛けられる衣服の背丈方向（図４（ｂ）に符号Ｙで示される方向、以下、Ｙ方向とも称する）における撮像機器Ｍの保持位置は変動するものの、ある程度の範囲内の異なる幅を有する撮像機器Ｍを保持することができる。
【００４３】
また、異なるサイズの撮像機器Ｍに対応するために、凹部４１の内寸の調整用の補助部材が用意されてもよい。たとえば、概してＵの字型もしくはコの字型の形状を有し、一辺を開放状態にされて３辺からなる枠状材が補助部材として用いられ得る。枠状材は凹部４１の内寸に適合する外寸を有するように形成され、凹部４１内に配置される。そうすることにより、凹部４１よりも小さい外形の撮像機器Ｍを、枠状材が内部に置かれた凹部４１内に保持することができる。また、衣類用ハンガー１が吊り下げられたときに下方側となる凹部４１の内壁上に、ゴムや軟質ウレタンフォームのような柔軟な素材からなる緩衝材（図示せず）が設けられてもよい。撮像機器Ｍを凹部４１内に配置すると、撮像機器Ｍの下端部が自重で緩衝材内にめりこみ、撮像機器Ｍの動きが制限され得る。
【００４４】
保持機構４は、凹部４１の代わりにまたは凹部４１に加えて、凹部４１と異なる手法で撮像機器Ｍを保持する手段を含んでいてもよい。たとえば、保持機構４は、撮像機器Ｍが付着し得るように本体部２に設けられた貼付具であってもよい。その場合保持機構４は、たとえば、磁力により撮像機器Ｍを衣類用ハンガー１ａ上に保持し得るように、本体部２の表面または本体部２内に固定された永久磁石であってもよい。撮像機器Ｍの筐体が強磁性体で形成されていたり、撮像機器Ｍの一面ＭＦが強磁性体からなるカバーなどで覆われていたりすれば、永久磁石からなる保持機構４により撮像機器Ｍを保持することができる。また、保持機構４は、衣類用ハンガー１ａの表面に設けられた面ファスナー、所謂マジックテープ（登録商標）であってもよい。たとえば、本体部２の表面に面ファスナーのフックおよびループの一方が取り付けられ、撮像機器Ｍの一面ＭＦに面ファスナーの他方が取り付けられてもよい。保持機構４は、これらの他にも、両面テープや接着剤など、任意の付着手段で構成されていてもよい。
【００４５】
図２〜４に示される一実施形態の衣類用ハンガー１では、保持機構４は本体部２と一体的に形成されている。しかし、保持機構４を有さない既存の衣類用ハンガーにも、撮像機器Ｍを保持する機構を容易に設けることができると便利である。図６には、そのような従来の衣類用ハンガーに、撮像機器Ｍを保持する機構を容易に設けることができる、撮像機器を衣類用ハンガー上に保持する本発明の一実施形態の撮像機器ホルダー１０が示されている。以下、一実施形態の撮像機器ホルダー１０について、図面を参照しながら説明する。
【００４６】
図６に示されるように、一実施形態の撮像機器ホルダー１０（以下、単にホルダーとも称する）は、撮像機器Ｍを保持する機器保持部１１と、衣類用ハンガー９０（以下、単にハンガー９０とも称する）と係合する固定部１２とを有している。一実施形態のホルダー１０に保持される撮像機器Ｍは、図２〜４に示される撮像機器Ｍと同様の構造を有しており、撮影用のレンズＭ１（図３（ａ）参照）が設けられた側と反対側に撮影画像のモニタ画面Ｍ２を備えている。ホルダー１０は、ハンガー９０のフック９３付近に取り付けられる。図７には、ハンガー９０に取付けられて撮像機器１０を保持している状態のホルダー１０の断面図が示されている（図７は、フック９３付近における、ハンガー９０の肩幅方向と直交する垂直断面を示している）。図７に示されるように、ホルダー１０は、固定部１１によってハンガー９０に取り付けられて撮像機器Ｍを保持したときに、衣類用ハンガー９０の前後方向の一方の側９０ＦにレンズＭ１が露出するように、かつ、一方の側９０Ｆと反対側の他方の側９０Ｂにモニタ画面Ｍ２が露出するように構成されている。ハンガー９０は、撮像機器Ｍを保持する機構を有していない。しかし、一実施形態のホルダー１０を取り付け、ホルダー１０で撮像機器Ｍを保持することによって、前述の一実施形態の衣類用ハンガー１と同様に、ハンガー９０に掛けられて身体に重ねられた衣服を身体全体と共に容易に撮影することができる。
【００４７】
図６の例では、ホルダー１０は、平板状の固定部１２と固定部１２の一辺に固定部１２と所定の角度をなすように連結された全体として板状の形状の機器保持部１１とを含んでいる。固定部１２の機器保持部１１と反対側の一辺には平板状のストッパ１４が、固定部１２と所定の角度をなすように連結されている。機器保持部１１、固定部１２、およびストッパ１４は、図６の例では連続して一体的に形成されているが、個別に形成されたうえで接合されてもよい。ホルダー１０は、たとえば、ポリプロピレンやポリ塩化ビニルなどの合成樹脂材料、アルミニウムなどの金属材料、または、木材などにより形成される。ホルダー１０は、衣類用ハンガーに良好に密着する軟質性の材料で形成されてもよい。たとえば、シリコーンゴムなどのゴム材料で形成されてもよい。しかし、ホルダー１０の材料は、衣類用ハンガーに自身を固定することができて撮像機器Ｍを保持できる程度の強度を有するものであればよく、これらに限定されない。
【００４８】
機器保持部１１は、図２の例の衣類用ハンガー１の保持機構４と類似の構造を有している。すなわち、機器保持部１１は、凹部１３を含んでおり、凹部１３を囲む内壁に溝１６が形成されている。凹部１３内に撮像機器Ｍの一部が収容される。機器保持部１１は、撮像機器Ｍの撮像レンズＭ１（図７参照）およびモニタ画面Ｍ２以外の撮像機器Ｍの一部を保持するように形成されている。撮像機器Ｍの縁部が凹部１３の内壁の溝１６で保持される。
【００４９】
固定部１２は、ハンガー９０の本体の上端部と当接することにより、ハンガー９０が吊り下げられた状態でのホルダー１０の下方への動きを制限し、ホルダー１０をハンガー９０に固定する。固定部１２は、ハンガー９０のフック９３が通されるフック挿通部１５を有している。図６の例では、フック挿通部１５は、フック９３を通し得る内寸を有する貫通孔である。ホルダー１０をハンガー９０に取り付けるときに、フック挿通部１５にフック９３が通される。フック挿通部１５とフック９３との係合により、ハンガー９０の肩幅方向および前後方向へのホルダー１０の動きが制限される。なお、フック挿通部１５は、貫通孔ではなく、機器保持部１１側またはストッパ１４側から固定部１２のフック９３に対応する位置まで設けられた切り込みであってもよい。
【００５０】
図７に示されるように、ストッパ１４は、機器保持部１１との間にハンガー９０の一部を挟み込むように形成されている。ストッパ１４によって、ハンガー９０の他方の側９０Ｂへのホルダー１０の動きが制限される。しかし、ストッパ１４は、必ずしもホルダー１０に備えられていなくてもよい。たとえば、前述の貫通孔からなるフック挿通部１５が設けられている場合は、フック挿通部１５とフック９３との係合によりハンガー９０の前後方向へのホルダー１０の動きが制限されるからである。また、ストッパ１４は、図６に示されるような平板状のものでなくてもよく、たとえば、ハンガー９０と当接することによりホルダー１０の動きを制限し得る、枠状や、単なる棒状の形状を有するものでもよい。なお、機器保持部１０、固定部１２およびストッパ１４の大きさや、機器保持部１０とストッパ１４との間の長さは、ホルダー１０が取付けられるハンガー９０の大きさや形状に応じて選択される。
【００５１】
一実施形態の撮像機器ホルダー１０を用いることにより、撮像機器の保持機構を有していない従来のハンガー９０に、前述の一実施形態の衣類用ハンガー１のように撮像機器の保持機能を容易に付加することができる。従来のハンガー９０に掛けられた１または複数の衣服を、ハンガーを取り換えることなく身体に重ねて体全体と共に容易に撮影することができる。たとえば、従来のハンガー９０を多く用いている衣料店では、一実施形態のホルダー１０を売り場に備えるだけで、複数の衣服を自身の全身と重ねた状態でじっくり見比べてどの衣服を購入するか決定したい、という購入者のニーズに応えることができる。
【００５２】
なお、前述の説明では、図５を参照して、一実施形態の衣類用ハンガー１および一実施形態の撮像機器ホルダー１０が衣料店などで用いられる例について説明したが、一実施形態の衣類用ハンガー１および一実施形態の撮像機器ホルダー１０は、一般家庭内で用いられてもよい。衣類用ハンガー１０の使用者が、自身のワードローブ内の衣服を自身の身体と共に撮影し、自分だけのカタログを作ることができる。また、上半身用の衣服と下半身用の衣服との様々な組み合わせの良し悪しを撮影画像で比較することができる。
【００５３】
つぎに、前述の一実施形態の衣類用ハンガーまたは一実施形態の撮像機器ホルダーを用い得る、第２実施形態の衣服の販売方法について、図面を参照しながら説明する。図８には、第２実施形態の衣服の販売方法を実現するシステムの一例として衣服の販売システム５が示されている。また、図９には、第２実施形態の衣服の販売方法の基本的な手順がフローチャートの形で示されている。まず、図８に示される衣服の販売システム５について説明する。
【００５４】
図８に示されるように、衣服の販売システム５では、衣服の販売店舗ＳＰに備えられた、撮像機器Ｍを取り付けられる衣類用ハンガー１ａを含む撮影補助部５１を含んでいる点だけが、前述の図１に示される衣服の販売システム５０と異なっている。撮像機器Ｍを取り付けられる衣類用ハンガー１ａは、たとえば、前述の一実施形態の衣類用ハンガー１（図２参照）、または、前述の一実施形態の撮像機器ホルダー１０（図６参照）が取り付けられた任意の衣類用ハンガーである。撮影補助部５１は、たとえば、衣類用ハンガー１の保持機構４（図２参照）で撮像機器Ｍを保持することにより、撮像機器Ｍを用いた、鏡に映る衣服の撮影を補助する。図８において、撮像機器Ｍは、店舗ＳＰの外部に記載されているが、衣服の撮影時には衣類用ハンガー１ａに装備される。なお、図８において、図１に示される衣服の販売システム５０と同様の構成要素については、図１と同じ符号が付され、その説明は適宜省略される。
【００５５】
つぎに、第２実施形態の衣服の販売方法を、図８および図９を参照しながら説明する。まず、衣服の店舗ＳＰにおいて、商品である衣服の写真が撮影される（ステップＳ１１）。ステップＳ１１の衣服の撮影は、撮像機器Ｍを取り付けられた衣類用ハンガー１ａを用いて、図５を参照して説明された方法で行われる。すなわち、撮像機器Ｍが背面に保持された衣類用ハンガー１ａに衣服が装着され、購入者の身体に重ねられ、前方に配置される鏡に映る衣服の像が撮像機器Ｍで撮影される。好ましくは、ステップＳ１１の撮影は購入者自身により行われる。さらに、衣類用ハンガー１ａに装着する衣服を取り換えて、または、撮像機器Ｍが背面に保持された別の衣類用ハンガー１ａに装着された別の衣服を用いて、全体で複数種の衣服について、購入者の身体に重ねて鏡に映る像が撮影される（ステップＳ１２）。ステップＳ１１とステップＳ１２とにより、購入者と共に撮影された衣服の画像に基づく複数の画像データが生成される。なお、複数の衣類用ハンガー１ａが用いられる場合、各衣類用ハンガー１ａに装備される撮像機器Ｍは、同一であっても、異なっていてもよい。
【００５６】
図９には示されていないが、ステップＳ１１およびＳ１２において、撮影する衣服の属性情報が取得されてもよい。属性情報は、前述の第１実施形態の衣服の販売方法の説明において説明された方法と同様の方法で取得され得る。
【００５７】
ステップＳ１１およびＳ１２で撮影された複数種の衣服の撮影画像に基づく画像データを撮像機器Ｍ内の記憶装置、または撮像機器Ｍが接続されたインターネットＩＮなどの通信ネットワーク上の外部の記憶装置５５に保管する（ステップＳ１３）。たとえば衣服の販売システム５の制御部５４が、複数の画像データを記憶部５２に保管させる。好ましくは、複数の画像データの画像それぞれに写る衣服の属性情報も、複数の画像データと対応付けて記憶部５２に保管される。なお、販売システム５の制御部５４は、撮像機器Ｍ内の各種プロセッサであってもよく、撮像機器Ｍ内のプロセッサとサーバー５７内のプロセッサとで構成されていてもよい。たとえば、制御部５４で処理されるタスクを、撮像機器Ｍ内のプロセッサとサーバー５７内のプロセッサとで分散して処理するように構成されていてもよい。また、記憶部５２は、撮像機器Ｍ内の記憶装置であってもよく、外部の記憶装置５５であってもよい。
【００５８】
ステップＳ１３で記憶された画像データに基づく複数の撮影画像のうち購入者が選択する１または２以上の衣服を購入者に納入する（ステップＳ１４）。ステップＳ１４を行うにあたって、たとえば店舗を出た後の購入者に、複数の撮影画像のうちの１または２以上を選択させる。まず、ステップＳ１１およびＳ１２で撮影された複数の衣服を購入者が比較できるように、複数の衣服の撮影画像を購入者に対して表示する。たとえば衣服の販売システム５では、制御部５４が、記憶部５２に画像データを出力させて、購入者と共に撮影された複数の衣服の鏡像の画像を表示部５３に表示させる。
【００５９】
表示部５３は、撮像機器Ｍ内のディスプレイ装置であってもよく、外部のディスプレイ装置５６によって構成されてもよい。図１０には、スマートフォンである撮像機器Ｍのディスプレイ装置Ｍ２（撮像機器Ｍのモニタ画面Ｍ２が、ここではディスプレイ装置として機能している）に表示される一例の画像選択画面Ｖが示されている。ディスプレイ装置Ｍ２には６つの画像Ｉｄが表示されている。購入者は、画面のスクロールなどをすることにより、記憶部５２に保管されている画像データに基づく複数の画像を見比べることができる。ディスプレイ装置Ｍ２には、６つよりも多いまたは少ない数の画像Ｉｄが表示されてもよい。
【００６０】
購入者は、ディスプレイ装置Ｍ２に表示される画像のうち、購入しようと思う衣服が写っている１つまたは２つ以上の画像Ｉｄを選択する。図１０では、図１０上、上段の３つの画像のうちの中央の画像Ｉｄ１が選択され、画像Ｉｄ１の周囲に枠状のカーソルＶＣが表示されている。たとえば衣服の販売システム５では、表示部５３は、購入者の画面へのタッチにより特定の画像が選択されると、タッチされた位置の情報を制御部５４に送る。制御部５４は、この位置の情報から、選択された画像に対応する画像データを特定し、その画像データ、またはその画像データを特定し得る識別情報を、発注情報として販売業者の情報処理装置ＩＰに送信する。制御部５４は、前述の第１実施形態の衣服の販売方法と同様に、好ましくは、画像データに対応する属性情報を記憶部５２に出力させ、属性情報の一部または全部を、購入者からの発注情報として情報処理装置ＩＰに送信する。購入者からの発注情報を受け取ると、衣服の販売業者は、発注された衣服を購入者に納入する。顧客が選択した衣服の取り置きを要請している場合は、販売業者は該当する衣服を取り置く。
【００６１】
第１実施形態の衣服の販売方法と同様に、発注情報には、好ましくは、選択された画像データに対応する属性情報が含まれているため、サイズや微妙な色彩の違いなどによる受注ミスが防がれる。なお、ステップＳ１１およびＳ１２において、属性情報は、画像データと対応付けて販売業者が保有する記憶装置などに保管されてもよい。その場合は、選択された画像Ｉｄ１に対応する画像データを特定し得る識別情報が衣服を特定する情報として送られるだけでよい。販売業者側で、この識別情報に対応する画像データおよび属性情報を記憶装置から抽出し、納入すべき衣服を適切に特定することができる。
【００６２】
第１および第２の実施形態の衣服の販売方法は、たとえば、各実施形態の衣服の販売方法を用いた衣服の販売を行うための適切な動作を衣服の販売システム５、５０の制御部５４に遂行させるアプリケーションプログラムによって実行される。すなわち、このアプリケーションプログラムは、撮像機器Ｍで撮影された複数の衣服の画像データを記憶部５２に記憶させるステップを制御部５４に実行させる。この撮影は、撮像機器Ｍを装備された衣類用ハンガー１ａを用いて、購入者の身体に重ねられた衣服を購入者と共に購入者自身が撮影することによって行われてもよい。その場合、衣服の画像データは、鏡に映ったその衣服の鏡像の画像に基づくデータであってもよい。アプリケーションプログラムは、撮影された衣服の属性情報を画像データと共に記憶部５２に記憶させるステップを制御部５４に実行させてもよい。また、アプリケーションプログラムは、購入者が購入候補の衣服を比較できるように、複数の衣服の画像、および、購入者に画像の選択を促すメッセージや、選択用のカーソルを表示部５３に表示させるステップを制御部５４に実行させる。そして、アプリケーションプログラムは、購入者に選択された画像に対応する衣服の画像データまたは属性情報を記憶部５２に出力させて、出力された画像データまたは属性情報を販売業者の情報処理装置ＩＰに送るステップを制御部５４に実行させる。
【００６３】
アプリケーションプログラムは、たとえば、店舗ＳＰ内で撮像機器Ｍにインストールされ、撮像装置Ｍ内の記憶装置に書き込まれる。アプリケーションプログラムは制御部５４によって読み出され、プログラム内に記述された命令が実行される。
【符号の説明】
【００６４】
１、１ａ  衣類用ハンガー
１０  撮像機器ホルダー
１１  機器保持部
１２  固定部
１３  凹部
１４  ストッパ
１５  フック挿通部
２    本体部
２Ｆ  一方の側
２Ｂ  他方の側
３    フック部
４    保持機構
４１  凹部
４３  溝
５、５０    衣服の販売システム
５１  撮影補助部
５２  記憶部
５３  表示部
５４  制御部
５５  外部の記憶装置
５６  外部のディスプレイ装置
５７  サーバー
９０  保持機構の無い衣類用ハンガー
Ｍ    撮像機器
Ｍ１  レンズ
Ｍ２  モニタ画面（ディスプレイ装置）
ＳＰ  店舗
Ｉｄ  画像
Ｖ    画像選択画面
【図１】
2018055678.tif 000003
【図２】
2018055678.tif 000004
【図３】
2018055678.tif 000005
【図４】
2018055678.tif 000006
【図５】
2018055678.tif 000007
【図６】
2018055678.tif 000008
【図７】
2018055678.tif 000009
【図８】
2018055678.tif 000010
【図９】
2018055678.tif 000011
【図１０】
2018055678.tif 000012